(57)【要約】【課題】公園、畑等の雑草処理において、草の根を刈り取ることにより、長期間雑草の成長を抑えることができ、また、小石や土砂の周囲への飛散を防止できる。【解決手段】草引き用刃は、草引き用刃本体１の外周部に刃を形成する折り曲げ部３を間欠的に設け、その折り曲げ部の末端部の形状が略２０度〜略９０度の末広がりの山形形状としたことにより、草引き用刃本体の刃を形成する折り曲げ部３が土の中に入り込み、雑草の根から刈り取る構造となっており、また、草引き用刃の外周部に安全性を確保するための防止カバ−とスライド用防止カバ−を設けている。【選択図】図１
2005341837.tif 000002
【特許請求の範囲】
【請求項１】
草引き用刃本体に複数個の折り曲げ部を間欠的に設けて、草引き用刃本体と折り曲げ部の折り曲げ角度を鋭角としたことを特徴とする草刈り用刃。
【請求項２】
草引き用刃本体の外周部に石、土砂等の飛び散り防止カバ−を取付けた草引き用刃付作業機。
【発明の詳細な説明】
【技術分野】
【０００１】
本発明は、回転式小型作業機に草引き用刃を取付け、公園や畑等の雑草を根から処理ができる草引き用刃及び草引き用刃付作業機に関するものである。
【背景技術】
【０００２】
公園や畑等の雑草の刈り取り等に使用される電動草刈り用刃付作業機は、平板状の円板の外周に刃を設けて、その回転刃の回転により雑草を刈り取るようにしているものが知られているが、円形の平板状の回転刃では雑草の根を切ることはできなかったので、公園、畑等の雑草処理には手間、人力、時間が掛るうえ、また短時間で雑草が生えるという弊害があった。
【０００３】
また、草刈り刃はその作業中に石や土砂等が飛び散り周りに衝撃を与え、また、草刈り刃の回転により人身事故の危険性もあり、作業者側には一部分危険防止カバ−を設置したものも存在するが、転倒した場合等に対しては安全性を十分に保証するものではなかった。
【発明の開示】
【発明が解決しようとする課題】
【０００４】
前記の草刈り用刃付作業機は、回転刃を略水平面に沿って回転させて、雑草を短く刈リ取る草刈り用作業機であり、雑草を根から刈り取るような草引き用刃の構造にはなっていなかった。
また、防止カバ−も作業者側に安全保護のため部分的に設けているが、作業中の石や土砂等が周囲に飛び散り防御的な役割としては十分な対応とはなっていなかった。
【課題を解決するための手段】
【０００５】
本発明は上記の事情に鑑み、公園、畑等の雑草処理において、草の根を切る小型作業機が存在しないので、草刈り用刃を改造して、草引き用刃本体に複数個の折り曲げ部を間欠的に設けて、その折り曲げ部に刃部を設けるとともに、その外周部に安全性を確保するための防止カバ−を設けている。
【発明の効果】
【０００６】
本発明の草引き用刃とその外周部に円筒状の危険度を抑える防止カバ−を設けているので、公園や畑等広い場所、狭い場所に関係なく、小力で早く雑草の根から処理でき、草引き用刃を使用して雑草の根を切り取ることで、雑草の芽が出にくくなり、長日数雑草が生えない効果があり、手間、人力、時間の省力化ができ、また、この草引き用刃の外周部に危険防止カバ−を設けているので、雑草刈り取り作業中に石や土砂等が飛び散り周りの人や物品の損傷を防止できる効果がある。
【発明を実施するための最良の形態】
【０００７】
草引き用刃本体に複数個の折り曲げ部を間欠的に設けて、草引き用刃本体の水平面と折り曲げ部表面との折り曲げ角度を２０度〜９０度の鋭角とし、草引き用刃本体の外周部に小石や土砂等の飛び散り防止カバ−を取付けた草引き用刃付作業機とすることにより、雑草を根から処理でき、安全に雑草刈り取り作業できる。
【実施例１】
【０００８】
図１は、本発明の草引き用刃の斜視図である。１は円形草引き用刃本体、２は回転刃替刃穴で作業機に草引き用刃本体１を取付けるときに使用します。３は草引き用刃本体と一体化された折り曲げ部である。本発明の草引き用刃は草引き用刃本体１と回転刃替刃穴２と折り曲げ部３とで構成されています。折り曲げ部３は草引き用刃本体１の水平面に対して折り曲げ角度が略９０度角の鋭角刃となる矩形状の４枚刃より構成されている。草引き用刃本体１を作業機に取付けて、回転することにより、折り曲げ部３の周囲端面に形成された刃により、この折り曲げ部３が土中深く入り込み雑草の根から刈り取り処理を行うことができる。
【実施例２】
【０００９】
図２は、本発明の草引き用回転刃の斜視図である。図１との相違点は、折り曲げ部３の草引き用刃本体１の水平面に対して折り曲げ角度が略２０度〜略９０度角の鋭角刃となる矩形状の４枚刃より構成されている。草引き用刃の使用方法に関しては、実施例１と同様である。
【実施例３】
【００１０】
図３は、本発明の草引き用刃の斜視図である。図１との相違点は、折り曲げ部３の草引き用刃本体１の水平面に対して折り曲げ角度が略９０度角の鋭角刃となる先端先細りの三角形状の８枚刃より構成されている。草引き用刃の使用方法に関しては、実施例１と同様である。
【実施例４】
【００１１】
図４は、本発明の草引き用刃の斜視図である。図１との相違点は、折り曲げ部３の草引き用刃本体１の水平面に対して折り曲げ角度が略２０度〜略９０度角の鋭角刃となる先端先細りの三角形状の８枚刃より構成されている。草引き用回転刃の使用方法に関しては、実施例１と同様である。
【実施例５】
【００１２】
図５は、本発明の草引き用刃の斜視図である。４はイ−グル二枚刃本体、２はイ−グル二枚刃替刃穴、３はイ−グル二枚刃本体と一体化された折り曲げ部である。折り曲げ部３はイ−グル二枚刃本体４の水平面に対して折り曲げ角度が略９０度角の鋭角刃となる矩形状の２枚刃より構成されている。イ−グル二枚刃本体４を作業機に取付けて、回転することにより、折り曲げ部３の周囲端面に形成された刃により、この折り曲げ部３が土中深く入り込み雑草の根から刈り取り処理を行うことができる。
【実施例６】
【００１３】
図６は、本発明の草引き用刃の斜視図である。図５との相違点は、折り曲げ部３のイ−グル二枚刃本体４の水平面に対して折り曲げ角度が略２０度〜略９０度角の鋭角刃となる矩形状の２枚刃より構成されている。草引き用刃の使用方法に関しては、実施例５と同様である。
【実施例７】
【００１４】
図７は、本発明の草引き用刃の斜視図である。５はチップソ刃本体、２はチップソ刃替刃穴、３はチップソ刃本体と一体化された折り曲げ部である。折り曲げ部３はチップソ刃本体５の水平面に対して折り曲げ角度が略９０度角の鋭角刃となる円筒形状で先端部全周に刃を設けた構成よりなっている。チップソ刃本体５を回転することにより、折り曲げ部３の先端部全周に形成された刃により、この折り曲げ部３が土中深く入り込み雑草の根から刈り取り処理を行うことができる。
【実施例８】
【００１５】
図８は、本発明の草引き用刃の斜視図である。図７との相違点は、折り曲げ部３のチップソ刃本体５の水平面に対して折り曲げ角度が略２０度〜略９０度角の鋭角刃となる円筒形状で先端部全周に刃を設けた構成よりなる。草引き用回転刃の使用方法に関しては、実施例７と同様である。
【実施例９】
【００１６】
図９は、本発明の草引き用刃の斜視図である。図１との相違点は、折り曲げ部３を草引き用刃本体１とは別部品とし、折り曲げ部３のみを替刃締付ボルト６等の固定手段により取り付ける構成となっている。草引き用刃本体１の水平面に対して折り曲げ角度が略２０度〜略９０度角の鋭角刃となる矩形状の４枚刃より構成されている。草引き用刃の使用方法に関しては、実施例１と同様である。
【実施例１０】
【００１７】
図１０は、本発明の草引き用刃本体に取付ける折り曲げ部３単品の斜視図である。図９との相違点は、草引き用刃本体１の水平面に対して折り曲げ角度が略２０度〜略９０度角の鋭角刃となる矩形状の４枚刃より構成されているうちの１枚刃のみを図示している。７は折り曲げ部３を草引き用刃本体に取付けるためにボルト等を挿入するための替刃締付ボルト挿入穴です。図９と同様に草引き用刃本体に折り曲げ部３単品をボルト等の締付け手段により取付けて草引き用刃を構成する。草引き用刃の使用方法に関しては、実施例１と同様である。
【００１８】
なお、実施例１〜実施例１０に関して、多種類の実施例について説明しましたが、草引き用刃の種類、折り曲げ部の角度に関しても２０度〜９０度の範囲で変更でき、草引き用刃の形状、個数等使用場所、雑草の生育状況等諸条件により、任意に変更できるものであり、実施例に限定できるものではないことは勿論である。
【実施例１１】
【００１９】
図１１は、草刈り機に草引き用刃と防止カバ−を取付けた説明図である。８は作業機ア−ムで、その作業機ア−ムにカバ−取付補助具９と鉄製の防止カバ−１０を取付けます。その鉄製の防止カバ−１０は円筒状で草引き用刃本体１の折り曲げ部３を覆う構造となっています。その鉄製の防止カバ−１０に円筒状の上下に移動できるスライド用防止カバ−１１を合致するように取付けます。なお、防止カバ−１０及びスライド用防止カバ−１１は小石、土砂等の飛散を防止できる材料であれば鉄製等の金属に限定されるものではなく、硬質のプラスチック等の機能を満足するものであれば変更できることは勿論である。
【００２０】
このスライド用カバ−１１は草引き用刃本体と鉄製の防止カバ−１０のバランスを調整できる構造になっています。１２は鉄製の防止カバ−１０にスライド用防止カバ−１１を締付けるためのボルト等の防止カバ−スライド用締付け具です。１３は本発明の実施例１〜１０の草引き用刃を諸条件に合わせて取付けて使用します。１４は草引き用刃本体を取付ける押さえ具Ａです。１５は草引き用刃本体を取付ける押さえ具Ａをさらに強固に固定するための押さえ具Ｂです。１６は締付けナット等の締付け手段で押さえ具Ａ、Ｂを締付けて、固定した状態で草引き用刃付作業機として使用します。
【産業上の利用可能性】
【００２１】
草刈りには、軸体の先端に回転刃を設けた動力草刈り機が通常用いられているが、回転刃を略水平面に沿って回転させ雑草を切断するものであり、本発明の草引き用刃は、草引き用刃本体の外周部に刃を形成する折り曲げ部を設け、その折り曲げ部の末端部の形状が略２０度〜略９０度の末広がりの山形形状としたことにより、草引き用刃本体の刃を形成する折り曲げ部が土の中に入り込み、雑草の根から刈り取る構造となっており、従来は手作業にて雑草の根を刈り取っていたのを草引き用刃付作業機で刈り取ることができ、広範囲の用途に適用できるものである。
【図面の簡単な説明】
【００２２】
【図１】草引き用刃の斜視図である。（実施例１）
【図２】草引き用刃の斜視図である。（実施例２）
【図３】草引き用刃の斜視図である。（実施例３）
【図４】草引き用刃の斜視図である。（実施例４）
【図５】草引き用刃の斜視図である。（実施例５）
【図６】草引き用刃の斜視図である。（実施例６）
【図７】草引き用刃の斜視図である。（実施例７）
【図８】草引き用刃の斜視図である。（実施例８）
【図９】草引き用刃の斜視図である。（実施例９）
【図１０】草引き用刃本体に取付ける折り曲げ部単品の斜視図である。（実施例１０）
【図１１】草刈り機に草引き用刃付と防止カバ−を取付けた説明図である。（実施例１１）
【符号の説明】
【００２３】
１    草引き用刃本体
２    回転刃替刃穴
３    折り曲げ部
４    イ−グル二枚刃本体
５    チップソ刃本体
６    替刃締付ボルト
７    替刃締付ボルト挿入穴
８    替刃締付ボルト挿入
９    カバ−取付補助具
１０    防止カバ−
１１    スライド用防止カバ−
１２    防止カバ−スライド用締付け具
１３    草引き用刃
１４    押さえ具Ａ
１５    押さえ具Ｂ
１６    締付けナット
【図１】
2005341837.tif 000003
【図２】
2005341837.tif 000004
【図３】
2005341837.tif 000005
【図４】
2005341837.tif 000006
【図５】
2005341837.tif 000007
【図６】
2005341837.tif 000008
【図７】
2005341837.tif 000009
【図８】
2005341837.tif 000010
【図９】
2005341837.tif 000011
【図１０】
2005341837.tif 000012
【図１１】
2005341837.tif 000013